【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
画像データに対して画像特徴領域の検出を行う第１の特徴領域検出手段と、前記第１の特徴領域検出手段により得られた画像特徴領域の検出結果を前記画像データに付加する付加手段とを有する入力装置と接続可能な画像処理装置であって、画像データに対して画像特徴領域の検出を行う第２の特徴領域検出手段を有する画像処理装置において、
前記画像処理装置は、
前記入力装置の前記第１の特徴領域検出手段によって検出された画像特徴領域の検出結果が付加された前記画像データを取得する取得手段と、
前記画像データを印刷する際の印刷設定を設定する設定手段と、
前記設定手段によって設定された印刷設定に基づき、前記取得手段によって取得された画像データに付加された検出結果が示す画像特徴領域を使用するか、前記画像処理装置の前記第２の特徴領域検出手段で検出する画像特徴領域を使用するかを選択する選択手段と
を備えたことを特徴とする画像処理装置。
【請求項２】
前記設定手段によって設定された印刷設定が印刷の速度を重視した設定の場合、前記選択手段により前記取得手段によって取得された画像データに付加された検出結果が示す画像特徴領域を使用すると選択され、当該選択された画像特徴領域を用いて、前記画像データの補正処理を行い、
前記設定手段によって設定された印刷設定が画像の画質を重視した設定の場合、前記選択手段により前記第２の特徴領域検出手段によって検出された画像特徴領域を使用すると選択され、前記画像データに対して前記第２の特徴領域検出手段による特徴領域検出処理を実行し、前記第２の特徴領域検出手段によって検出された特徴領域を用いて、前記画像データの補正処理を行う補正手段を有することを特徴とする請求項１に記載の画像処理装置。
【請求項３】
前記第１の特徴領域検出手段と前記第２の特徴領域検出手段は、顔検出、赤目検出、器官検出のうち少なくとも一つにより前記画像特徴領域の検出を行うことを特徴とする請求項１または２に記載の画像処理装置。
【請求項４】
前記選択手段は、前記画像データに含まれる画像の印刷順序に応じて、前記取得手段によって取得された画像特徴領域を使用するか、前記画像処理装置の前記第２の特徴領域検出手段で検出する画像特徴領域を使用するかを選択することを特徴とする請求項１に記載の画像処理装置。
【請求項５】
前記選択手段は、前記画像データを印刷するための印刷用紙の設定に応じて、前記取得手段によって取得された画像特徴領域を使用するか、前記画像処理装置の前記第２の特徴領域検出手段で検出する画像特徴領域を使用するかを選択することを特徴とする請求項１に記載の画像処理装置。
【請求項６】
前記設定手段によって設定された印刷設定に含まれる印刷品質が速い設定の場合、前記選択手段により前記取得手段によって取得された画像データに付加された検出結果が示す画像特徴領域を使用すると選択され、当該選択された画像特徴領域を用いて、前記画像データの補正処理を行い、
前記設定手段によって設定された印刷設定に含まれる印刷品質がきれい設定の場合、前記選択手段により前記第２の特徴領域検出手段によって検出された画像特徴領域を使用すると選択され、前記画像データに対して前記第２の特徴領域検出手段による特徴領域検出処理を実行し、前記第２の特徴領域検出手段によって検出された特徴領域を用いて、前記画像データの補正処理を行う補正手段を有することを特徴とする請求項１に記載の画像処理装置。
【請求項７】
前記選択手段は、前記画像データに対して印刷の色、濃度の設定の少なくとも一つが設定されたか否かにより、前記取得手段によって取得された画像データに付加された検出結果が示す画像特徴領域を使用するか、前記画像処理装置の前記第２の特徴領域検出手段で検出する画像特徴領域を使用するかを選択することを特徴とする請求項１に記載の画像処理装置。
【請求項８】
前記選択手段は、前記画像データに対して両面印刷が設定されたか否かにより、前記取得手段によって取得された画像データに付加された検出結果が示す画像特徴領域を使用するか、前記画像処理装置の前記第２の特徴領域検出手段で検出する画像特徴領域を使用するかを選択することを特徴とする請求項１に記載の画像処理装置。
【請求項９】
前記選択手段は、前記画像データに対して特殊効果が設定されたか否かにより、前記取得手段によって取得された画像データに付加された検出結果が示す画像特徴領域を使用するか、前記画像処理装置の前記第２の特徴領域検出手段で検出する画像特徴領域を使用するかを選択することを特徴とする請求項１に記載の画像処理装置。
【請求項１０】
前記補正手段によって補正された画像データを印刷する印刷手段をさらに備えたことを特徴とする請求項２または６に記載の画像処理装置。
【請求項１１】
前記選択手段は、前記印刷手段の状態に応じて前記取得手段によって取得された画像データに付加された検出結果が示す画像特徴領域を使用するか、前記画像処理装置の前記第２の特徴領域検出手段で検出する画像特徴領域を使用するかを選択することを特徴とする請求項１０に記載の画像処理装置。
【請求項１２】
前記選択手段は、前記印刷手段の状態を示す項目に優先順位を設定し、前記印刷手段の状態と前記優先順位に応じて前記取得手段によって取得された画像データに付加された検出結果が示す画像特徴領域を使用するか、前記画像処理装置の前記第２の特徴領域検出手段で検出する画像特徴領域を使用するかを選択することを特徴とする請求項１０に記載の画像処理装置。
【請求項１３】
前記補正手段は、前記第１の特徴領域検出手段または前記第２の特徴領域検出手段により検出された特徴領域に基づいて、前記画像データを解析する解析手段を含み、前記解析手段により、前記画像データを変換する量を決定することを特徴とする請求項２または６に記載の画像処理装置。
【請求項１４】
前記解析手段は、前記画像データ内の統計的解析、ヒストグラム解析、周波数解析、２値以上の多値化解析のうち少なくとも一つにより解析することを特徴とする請求項１３に記載の画像処理装置。
【請求項１５】
前記補正手段は、前記解析手段によりにより決定された前記変換する量に基づいて、前記画像データを補正することを特徴とする請求項１３に記載の画像処理装置。
【請求項１６】
さらに、前記画像データを印刷する印刷手段を備え、
前記選択手段は、前記印刷手段の印刷ジョブの状況に応じて前記取得手段によって取得された画像データに付加された検出結果が示す画像特徴領域を使用するか、前記画像処理装置の前記第２の特徴領域検出手段で検出する画像特徴領域を使用するかを選択することを特徴とする請求項１に記載の画像処理装置。
【請求項１７】
画像データに対して画像特徴領域の検出を行う第１の特徴領域検出手段と、前記第１の特徴領域検出手段により得られた画像特徴領域の検出結果を前記画像データに付加する付加手段とを有する入力装置と接続可能な、画像データに対して画像特徴領域の検出を行う第２の特徴領域検出手段を有する画像処理装置における画像処理方法であって、
前記入力装置の前記第１の特徴領域検出手段によって検出された画像特徴領域の検出結果が付加された前記画像データを取得する取得ステップと、
前記画像データを印刷する際の印刷設定を設定する設定ステップと、
前記設定ステップによって設定された印刷設定に基づき、前記取得ステップによって取得された画像データに付加された検出結果が示す画像特徴領域を使用するか、前記画像処理装置の前記第２の特徴領域検出手段で検出する画像特徴領域を使用するかを選択する選択ステップと
を備えたことを特徴とする画像処理方法。
【請求項１８】
コンピュータを請求項１乃至１６のいずれか一項に記載された画像処理装置として機能させるためのプログラム。
【請求項１９】
請求項１８に記載のプログラムを記憶したコンピュータ読み取り可能な記憶媒体。
【手続補正２】
【補正対象書類名】明細書
【補正対象項目名】００１２
【補正方法】変更
【補正の内容】
【００１２】
上記課題を解決するために、本発明に係る画像処理装置は、画像データに対して画像特徴領域の検出を行う第１の特徴領域検出手段と、前記第１の特徴領域検出手段により得られた画像特徴領域の検出結果を前記画像データに付加する付加手段とを有する入力装置と接続可能な画像処理装置であって、画像データに対して画像特徴領域の検出を行う第２の特徴領域検出手段を有する画像処理装置において、前記画像処理装置は、前記入力装置の前記第１の特徴領域検出手段によって検出された画像特徴領域の検出結果が付加された前記画像データを取得する取得手段と、前記画像データを印刷する際の印刷設定を設定する設定手段と、前記設定手段によって設定された印刷設定に基づき、前記取得手段によって取得された画像データに付加された検出結果が示す画像特徴領域を使用するか、前記画像処理装置の前記第２の特徴領域検出手段で検出する画像特徴領域を使用するかを選択する選択手段とを備えたことを特徴とする。